(57)【要約】【課題】リアルタイムに記録パワーの補正を行うための方法を提供すると共に、かかる方法を採用して記録の高速化と高品質化とを実現する光ディスク装置を提供する。【解決手段】情報記録面上に螺旋状のランドとグルーブからなるトラックを形成し、ユーザデータ記録領域における欠陥ブロックに対してベリファイ処理を行う光ディスク１００に対し、情報の記録または再生を行う光ディスク装置における記録パワーの補正方法において、ベリファイ処理時において、光ピックアップ２００により再生された再生信号から光ピックアップから照射された光により書き込まれたデータのエラー情報を取得すると共に、β検出手段２４０によりβ値を検出し、これらベリファイ処理時において検出したβ値及びエラー情報を基に、光ピックアップのレーザ光源から照射される光の強度を（β値）補正する。【選択図】図５
2008041128.tif 000002
【特許請求の範囲】
【請求項１】
情報記録面上に螺旋状のランドとグルーブからなるトラックを形成し、ユーザデータ記録領域における欠陥ブロックに対してベリファイ処理を行う光ディスクに対し、情報の記録または再生を行う光ディスク装置であって、
光ディスクを回転駆動するディスクモータと、
前記ディスクモータを駆動するディスクモータ駆動手段と、
前記ディスクモータにより回転駆動される前記光ディスクの記録表面に光を照射するレーザ光源を備えると共に、その反射光を受光して、当該光ディスクの記録表面に対してデータの記録又は再生を行う光ピックアップと、
前記光ピックアップのレーザ光源を駆動するためのレーザ駆動手段と、
前記光ピックアップを光ディスクの半径方向へ移動するスライドモータと、
前記スライドモータを駆動するスライドモータ駆動手段と、
前記光ピックアップから照射される光の強度を決定するβ値を検出するためのβ値検出手段と、そして、
少なくとも前記ディスクモータ駆動手段、スライドモータ駆動手段、及び前記レーザ駆動手段を、前記光ピックアップ及び前記β値検出手段からの信号に基づいて制御するための制御手段を備えたものにおいて、
前記制御手段は、前記光ピックアップにより再生された再生信号から、当該光ピックアップから照射された光により書き込まれたデータのエラー情報を取得すると共に、前記ベリファイ処理時に検出したβ値及びエラー情報を基に、前記光ピックアップのレーザ光源から照射される光の強度を補正することを特徴とする光ディスク装置。
【請求項２】
前記請求項１に記載した光ディスク装置において、前記制御手段は、前記ランドとグルーブ毎に、前記β値及び前記エラー情報を取得し、かつ、前記ランドとグルーブ毎に、前記光ピックアップのレーザ光源から照射される光の強度を補正することを特徴とする光ディスク装置。
【請求項３】
前記請求項１に記載した光ディスク装置において、前記制御手段は、前記取得したβ値からその統計情報を取得し、当該統計情報に基づいて、前記光ピックアップのレーザ光源から照射される光の強度を補正することを特徴とする光ディスク装置。
【請求項４】
前記請求項３に記載した光ディスク装置において、前記制御手段は、得られるβ値の平均化処理により前記統計情報を取得することを特徴とする光ディスク装置。
【請求項５】
前記請求項１に記載した光ディスク装置において、前記制御手段は、前記β値を変更することにより、前記光ピックアップのレーザ光源から照射される光の強度を補正することを特徴とする光ディスク装置。
【請求項６】
情報記録面上に螺旋状のランドとグルーブからなるトラックを形成し、ユーザデータ記録領域における欠陥ブロックに対してベリファイ処理を行う光ディスクに対し、情報の記録または再生を行う光ディスク装置における記録パワーの補正方法であって、
前記ベリファイ処理時において、光ピックアップにより再生された再生信号から当該光ピックアップから照射された光により書き込まれたデータのエラー情報を取得すると共に、前記ベリファイ処理時において検出したβ値及びエラー情報を基に、前記光ピックアップのレーザ光源から照射される光の強度を補正することを特徴とする光ディスク装置の記録パワーの補正方法。
【請求項７】
前記請求項６に記載した記録パワーの補正方法において、前記β値及び前記エラー情報を、前記ランドとグルーブ毎に取得し、かつ、前記ランドとグルーブ毎に、前記光ピックアップのレーザ光源から照射される光の強度を補正することを特徴とする光ディスク装置の記録パワーの補正方法。
【請求項８】
前記請求項６に記載した記録パワーの補正方法において、前記取得したβ値からその統計情報を取得し、当該統計情報に基づいて、前記光ピックアップのレーザ光源から照射される光の強度を補正することを特徴とする光ディスク装置の記録パワーの補正方法。
【請求項９】
前記請求項８に記載した記録パワーの補正方法において、得られるβ値の平均化処理により前記統計情報を取得することを特徴とする光ディスク装置の記録パワーの補正方法。
【請求項１０】
前記請求項６に記載した記録パワーの補正方法において、前記β値を変更することにより、前記光ピックアップのレーザ光源から照射される光の強度を補正することを特徴とする光ディスク装置の記録パワーの補正方法。
【発明の詳細な説明】
【技術分野】
【０００１】
本発明は、ＣＤやＤＶＤなどのディスク状の光記録媒体（以下、「光ディスク」と称する）へ情報の記録又は再生を行うディスク記録再生装置に係り、特に、情報の記録において、高速記録化と共に、その記録品質を高く保つための記録パワーの補正方法と共に、かかる方法を採用して記録の高速化と高品質化とを実現する光ディスク装置に関する。
【背景技術】
【０００２】
ＣＤやＤＶＤなどによって代表される光ディスクを記録媒体として利用し、各種の情報を当該媒体に対して記録又は再生を行う光ディスク装置は、例えば、パーソナルコンピュータをはじめとする各種の電子装置において、情報記録装置として広く使用されている。特に、近年においては、従来からのＣＤに加え、各種のＤＶＤが普及してきており、更には、大容量の記録媒体であるＨＤ−ＤＶＤやＢＤが製品化されつつある。それに伴い、これら各種の光ディスクに対応可能なディスク記録再生装置が求められている。
【０００３】
特に、大容量の記録媒体であるＤＶＤ、ＢＤでは、媒体の記録情報量の増大と共に、情報記録の際のディスク欠陥に対する信頼性（高品質化）を確保するため、ユーザデータを記録しながら、逐次、所定のブロック単位で読み出して元のデータとの同一性を検査する、所謂、ベリファイ処理が行われる。なお、このベリファイ処理の結果、同一でないと判断されると、当該ブロックは欠陥ブロックと認識されると共に、光ディスクのユーザデータ記録領域とは異なる領域（交替領域）に記録する、所謂、交替処理と呼ばれる処理が必要となる。
【０００４】
一方、例えば、ＤＶＤ−ＲやＤＶＤ−ＲＷ等と呼ばれる、所謂、書き換え型のディスクにおいては、光ディスク面上の位置に依る記録速度の変化、更には、円盤状の光ディスク面の反りや光ディスク面上における感度の不均一（所謂、感度ムラ）といった、その情報記録面上における局部的な記録特性劣化に対する記録補正方法が、以下の特許文献１及び２により、既に知られている。
【０００５】
即ち、特許文献１は、回転角度一定のＣＡＶ記録時において、光ディスクの半径方向に複数の記録領域を分割設定して、記録時に各分割位置にて記録済領域の終端部を再生し、ＤＶＤ−Ｒ等の色素系ディスクに対してはＲＦ信号のアシンメトリ（非対称性）、ＤＶＤ−ＲＷ等の相変化ディスクに対してはＲＦ信号の変調度を評価することにより、レーザパワー補正を行う方法について開示する。また、特許文献２は、ゾーン毎に線速度を一定に制御するＺＣＬＶ記録において、光ディスクの回転速度を切替える際に記録を一旦停止して記録済領域の終端部を再生し、もって、ＲＦ信号のβ値を測定することにより、レーザパワー補正を行う方法を開示する。
【０００６】
更に、上記記録補正を行う為の記録品質を評価する手段として、以下の特許文献３によれば、ＤＶＤ−ＲＷの試書き領域にて最適記録パワーを設定した後、記録管理領域に管理データを記録して記録検証を行う際に、ＰＩエラー値が許容値を越えた場合、レーザパワー補正を行う方法が既に開示されている。そして、以下の特許文献４によれば、ＤＶＤ＋Ｒ、ＤＶＤ＋ＲＷにおいて、記録を一旦停止して記録済領域の終端部を再生し、もって、ＲＦ信号のβ値と反射率を用いてレーザパワー補正を行う方法が開示されている。
【０００７】
【特許文献１】特開２００２−２０８１３９号公報
【特許文献２】特開２００５−９２９５０号公報
【特許文献３】特開２００４−２０６８０３号公報
【特許文献４】特開２００５−１１６０２７号公報
【発明の開示】
【発明が解決しようとする課題】
【０００８】
しかしながら、上述の従来技術では、上述したＤＶＤ−ＲやＤＶＤ−ＲＷ等の情報記録媒体に関する記録補正方法やその為の記録品質を評価する手段について述べられてはいるが、大容量の記録領域を確保するため、その情報記録面上に螺旋状に交互に形成されたランド（Land）とグルーブ（Groove）の両方にデータを記録すると共に、上述した信頼性（高品質化）を確保するため、ベリファイ処理を伴うＤＶＤ−ＲＡＭに関しては、未だ、その記録品質を高く保つための記録パワーの補正をリアルタイムに行う方法については、何ら述べられていなかった。
【０００９】
即ち、ＤＶＤ−ＲＡＭ等の光ディスクでは、その高速記録化の進展と共に、記録の際のディスク欠陥に対する信頼性（高品質化）を確保するため、一定領域を記録した後、その領域を再生して記録不良の場合は交替処理を行って記録品質を保つ、所謂、ベリファイ処理を採用している。しかしながら、かかるベリファイ処理だけでは、記録品質を確保する余裕度が減少してしまい、そのため、更なる記録補正方法の追加を必要としていた。しかしながら、上記の従来技術は、かかるＤＶＤ−ＲＡＭ等の光ディスクに対し、リアルタイムに情報を取得して記録パワーの補正を行うための方法や手段を提供してはいなかった。
【００１０】
そこで、本発明では、ＤＶＤ−ＲＡＭのように、ランドとグルーブ双方にデータを記録すると共に、記録の高速化と信頼性（高品質化）とを確保するため、所謂、ベリファイ処理を採用する光情報記録媒体（光ディスク）に対しても、情報の記録・再生が可能な光ディスク装置において、かかる光ディスクに対し、情報記録の高速化と高品質化を実現するため、当該ベリファイ処理時において、リアルタイムに記録パワーの補正を行うための方法を提供すると共に、更には、かかる方法を採用して記録の高速化と高品質化とを実現する光ディスク装置を提供することをその目的とする。
【課題を解決するための手段】
【００１１】
本発明によれば、上述した目的を達成するため、その高速記録において、ベリファイ処理時における再生情報に基づいて、リアルタイムに記録補正を実現するための記録パワーの補正方法、更には、かかる方法を採用して記録の高速化と高品質化とを実現する光ディスク装置を提供するものである。より具体的には、本発明によれば、上記の目的を達成するため、まず、情報記録面上に螺旋状のランドとグルーブからなるトラックを形成し、ユーザデータ記録領域における欠陥ブロックに対してベリファイ処理を行う光ディスクに対し、情報の記録または再生を行う光ディスク装置であって、光ディスクを回転駆動するディスクモータと、
前記ディスクモータを駆動するディスクモータ駆動手段と、前記ディスクモータにより回転駆動される前記光ディスクの記録表面に光を照射するレーザ光源を備えると共に、その反射光を受光して、当該光ディスクの記録表面に対してデータの記録又は再生を行う光ピックアップと、前記光ピックアップのレーザ光源を駆動するためのレーザ駆動手段と、前記光ピックアップを光ディスクの半径方向へ移動するスライドモータと、前記スライドモータを駆動するスライドモータ駆動手段と、前記光ピックアップから照射される光の強度を決定するβ値を検出するためのβ値検出手段と、そして、少なくとも前記ディスクモータ駆動手段、スライドモータ駆動手段、及び前記レーザ駆動手段を、前記光ピックアップ及び前記β値検出手段からの信号に基づいて制御するための制御手段を備えたものにおいて、前記制御手段は、前記光ピックアップにより再生された再生信号から、当該光ピックアップから照射された光により書き込まれたデータのエラー情報を取得すると共に、前記ベリファイ処理時に検出したβ値及びエラー情報を基に、前記光ピックアップのレーザ光源から照射される光の強度を補正する光ディスク装置が提供される。
【００１２】
また、本発明によれば、やはり上述した目的を達成するため、情報記録面上に螺旋状のランドとグルーブからなるトラックを形成し、ユーザデータ記録領域における欠陥ブロックに対してベリファイ処理を行う光ディスクに対し、情報の記録または再生を行う光ディスク装置における記録パワーの補正方法であって、前記ベリファイ処理時において、光ピックアップにより再生された再生信号から当該光ピックアップから照射された光により書き込まれたデータのエラー情報を取得すると共に、前記ベリファイ処理時において検出したβ値及びエラー情報を基に、前記光ピックアップのレーザ光源から照射される光の強度を補正する光ディスク装置の記録パワーの補正方法が提供される。
【００１３】
更に、本発明によれば、前記の光ディスク装置又はその記録パワーの補正方法において、前記β値及び前記エラー情報を、前記ランドとグルーブ毎に取得し、かつ、前記ランドとグルーブ毎に、前記光ピックアップのレーザ光源から照射される光の強度を補正することが好ましく、又は、前記取得したβ値からその統計情報を取得し、当該統計情報に基づいて、前記光ピックアップのレーザ光源から照射される光の強度を補正することが好ましく、更には、得られるβ値の平均化処理により前記統計情報を取得することが好ましい。又は、前記β値を変更することにより、前記光ピックアップのレーザ光源から照射される光の強度を補正することが好ましい。
【発明の効果】
【００１４】
以上からも明らかなように、本発明によれば、ＤＶＤ−ＲＡＭのように、ランドとグルーブ双方にデータを記録すると共に、記録の高速化と信頼性（高品質化）とを確保するため、所謂、ベリファイ処理を採用する光情報記録媒体（光ディスク）に対しても、情報の記録・再生が可能な光ディスク装置において、かかる光ディスクに対し、情報記録の高速化と高品質化を実現するため、当該ベリファイ処理時において、リアルタイムに記録パワーの補正を行うための方法を提供すると共に、更には、かかる方法を採用して記録の高速化と高品質化とを実現する光ディスク装置を提供するという、実用的にも優れた効果を発揮する。
【発明を実施するための最良の形態】
【００１５】
以下、本発明の実施の形態について、添付の図面を参照して詳細に説明する。
【００１６】
まず、添付の図１には、本発明の一実施の形態になる光ディスク装置の概略内部構造が示されており、この図において、符号１００は、情報の記録又は再生を行うために当該光ディスク装置に装填された、例えば、ＤＶＤ−ＲＡＭなどの、所謂、ディスク状の光記録媒体（光ディスク）を示している。
【００１７】
また、図中における符号３００は、上記光ディスク１００を回転駆動するディスクモータであり、図にも明らかなように、その回転軸の先端に取り付けられたターンテーブル（図示せず）に上述した光ディスク１００を装着し、もって、当該光ディスクを所望の回転速度で回転駆動する。なお、このディスクモータ３００は、その駆動手段としてのディスクモータ駆動回路３１０により駆動されている。即ち、ディスクモータ３００のターンテーブルに装着された光ディスク１００は、ディスクモータ駆動回路３１０により、その回転速度を、適宜、例えば、既知の回転数一定（ＣＡＶ）方式で、又は、線速度一定（ＣＬＶ）方式で制御される。
【００１８】
次に、図中の符号２００は、上述した光ディスク１００の半径方向に移動可能に取り付けられると共に、その記録面に対してレーザ光を照射し、そして、当該記録面からの反射レーザ光を受光する、所謂、光ピックアップを示している。なお、この光ピックアップ２００の内部においては、ここでは詳述しないが、上記の反射レーザ光から電気信号を再生し、そして、この再生した信号を、図のフォーカス・トラッキング誤差信号形成回路２１０に出力し、そこでは、当該信号に基づいて、例えば、フォーカス誤差信号やトラッキング誤差信号を生成する。そして、このフォーカス・トラッキング誤差信号形成回路２１０から出力されるフォーカス誤差信号やトラッキング誤差信号に基づいて、フォーカス・トラッキング制御回路２２０が、上記光ピックアップ２００に入力する制御信号を形成しており、もって、光ピックアップ内において移動可能に設けられた対物レンズ（図示せず）の位置を制御する。
【００１９】
なお、上述した光ピックアップ２００の内部に設けられたレーザ光源である、レーザダイオード（図示せず）は、図の記録信号を生成する記録信号生成回路４２０からの出力に基づいて駆動電流を供給するレーザ駆動回路４３０により駆動されると共に、その発光強度が制御されることは、従来と同様である。また、この上記光ピックアップ２００の一部には、フォトダイオード又はフォトトランジスタなどの光検出素子が設けられ、レーザ光源であるレーザダイオードからのレーザ光の一部を監視している（パワー制御用モニタ）。そして、このパワー制御用モニタにより実際のβ値が検出され、図のβ検出手段２４０を介して出力される。
【００２０】
また、上述した光ピックアップ２００の内部において上記反射レーザ光から再生した電気信号のうち、所謂、ＲＦ信号は、当該ＲＦ信号を増幅処理するためのＲＦ信号増幅回路２３０へ送られ、更に、その増幅したＲＦ信号を復調処理するためのデータ復調回路２５０へ出力される。
【００２１】
更に、上記の光ピックアップ２００には、当該ピックアップを光ディスク１００の半径方向に移動させるためのスライドモータ３２０が取り付けられており、そして、このスライドモータ３２０は、これを制御駆動するためのスライドモータ駆動回路３３０によって駆動制御されている。そして、この図において、符号５００は、上記のディスクモータ駆動回路３１０や、記録信号生成回路４２０や、フォーカス・トラッキング制御回路２２０や、スライドモータ駆動回路３３０などを制御するための制御手段であり、例えば、マイコンにより構成されており、その一部にバッファメモリ５１０を備えている。
【００２２】
一方、上述した光ディスク１００では、例えば、記録面上の指紋や傷の付着に起因するディスク欠陥に対する記録の信頼性（高品質化）を確保するため、所謂ベリファイ処理が行われる。その際、一旦記録されたデータが所定のブロック（例えば、１ＥＣＣ単位）で読み出され、例えば、外部から装置内のメモリ内に格納された記録すべきデータと比較される。なお、その際、一旦記録された後に再生されたデータとメモリ内に格納された記録すべきデータとの間の比較により、ＰＩエラー（読み取りエラーレート）情報が得られることとなる。そして、比較の結果、不一致（欠陥）が発見されると、当該記録すべき情報を、交替元から別の場所である交替先（交替領域）へ記録を行う、所謂、交替処理が行われる。その場合、添付の図２（Ａ）や２（Ｂ）に示すように、光ディスクは、その情報記録面上において、交替領域をその最内周位置、又は、最内周及び最外周位置に備えており、そして、これら内周側と外周側の交替領域の間には、ユーザがデータを記録することができる、所謂、データ記録領域を備えている。そして、添付の図３にも示すように、当該交替領域は、各々、欠陥ブロックの代替データを書き込むための予備領域と共に、そのアドレス情報を書き込むためのＤＭＡ領域がそれぞれ設けられている。より具体的には、内周側にはＤＭＡ１とＤＭＡ２、外周側にはＤＭＡ３とＤＭＡ４のように、それぞれ、２個のＤＭＡ領域と予備領域とが設けられている。
【００２３】
続いて、上記構成において、例えば、ユーザデータ（情報）の記録は、光ディスク１００の内周側から外周側に光ピックアップ２００を移動させながら行う。具体的には、上記のマイコン５００は、ディスクモータ駆動回路３１０を介し、ディスクモータ３００を所定の速度（倍速）や方式（ＣＡＶやＣＬＶ等）で回転させながら実行されることとなる。
【００２４】
即ち、上記の光ディスク１００のユーザデータ記録領域においては、所定の倍速状態で記録動作を行うことにより、適宜、ユーザデータを記録し、他方、その記録したデータを、逐次、一個または複数個のブロックで読み出し、元のデータとの同一性を検査する（ベリファイ処理）。その結果、これらデータが同一でないと判断されると、当該ブロックは欠陥ブロックとして認識され、マイコン５００は、当該検出結果に基づいて、交替処理のための制御を行う。具体的には、マイコン５００は、上記スライドモータ駆動回路３３０及びスライドモータ３２０を介して、上記光ピックアップ２００を、ディスク最外周側又は最内周側の交替領域側に移動して、欠陥ブロックを当該交替領域に書き込むと共に、そのＤＭＡ領域にそのアドレス情報を書き込む。
【００２５】
本発明では、以下に述べる書き込み処理（図４）を実行中において、β値（光ディスク上に形成されるピットの深さに関連する数値）と、ＰＩエラー（読み取りエラーレート）情報を、リアルタイムに取得し、統計情報に基づいて、リアルタイムに記録パワーの補正を実施することにより、最適な記録品質を実現するものである。なお、この時、上記のβ値は、上記光ピックアップ２００の一部に設けられた、例えば、フォトダイオード又はフォトトランジスタなどの光検出素子からなるパワー制御用モニタによって検出され、上記のβ検出手段２４０を介して得られる。
【００２６】
なお、本発明においては、ベリファイ処理時におけるアドレス情報に基づいて、ランド／グルーブを判定し、もって、ランド／グルーブ毎の１ＥＣＣ単位ごとのＰＩエラーとβ値を取得する。そして、この得られたＰＩエラー情報又はβ値が、それぞれ、閾値を越えた場合は交替処理を行い、他方、このＰＩエラー情報又はβ値が閾値内の場合は、各ＥＣＣ単位のＰＩエラー情報とβ値が、その基準値に近づくように記録パワーを補正する。
【００２７】
添付の図４には、上記にその構造を説明した光ディスク装置における書き込み動作の概略を示す。上述したＤＶＤ−ＲＡＭ等、所謂、ディスク状の光記録媒体（光ディスク）を装置（より具体的には、スピンドルモータ３００のターンテーブル）に装着すると、スピンドルモータ３００を回転駆動し（Ｓ４１）、続いて、光ピックアップ２００のトラッキングフォーカスサーボをオン（ＯＮ）状態にする（Ｓ４２）。即ち、これにより、上記光ピックアップ２００をその半径方向に移動し、書き込み用のレーザビームをディスクの情報記録面に照射することにより、データ（ユーザデータを含む）の記録面への記録又は再生を行うこととなる。
【００２８】
次に、上記スピンドルモータ３００に装着された光ディスク１００を所定の回転速度で回転しながら、例えば、その最内周側に設けられた、当該装着された光ディスクの固有の情報である、所謂、ＤＩＳＣ情報を取得する（Ｓ４３）。そして、この取得したＤＩＳＣ情報に基づいて、上記光ピックアップ２００におけるレーザ光の書き込み出力を適正値に設定するためのＯＰＣ（Optimum Power Control）を実行し（Ｓ４４）、更に、最適な記録パワー（記録Power）であるＰＩを決定するためのβ値の目標値（Target β）を設定する（Ｓ４５）。その後、データの記録を開始する（Ｓ４６）。即ち、上記ＯＰＣの実行により初期記録パワー値を検出し、更に、この初期記録パワー値を用いて、記録動作を開始する。
【００２９】
なお、この記録動作においては、ユーザ領域にユーザデータを記録しながら、逐次、所定のブロック単位（例えば、１ＥＣＣ単位毎）で読み出して元のデータとの同一性を検査する、所謂、ベリファイ処理が行われるが、本発明では、書き込み動作後のベリファイ時においてＰＩエラー値及びβ値を（但し、ランドとグルーブに区分けして）取得して、統計情報を取得する（Ｓ４７）。なお、この統計情報とは、例えば、上記のβ値が得られる度に、過去に得られた値との平均値を求めることによって得られる情報である。その後、条件に応じて、記録パワー（記録Power）を変更し（Ｓ４８）、一連の処理を終了する。
【００３０】
更に、添付の図５には、上記に説明した書き込み動作において、特に、本発明が関連する統計情報の取得（Ｓ４７）及び記録パワーの変更（Ｓ４８）処理における詳細が示されている。即ち、処理が開始すると、上述した書き込み動作後のベリファイ動作を実行する際のアドレス情報から、書き込みが行われた場所（トラック）がランドであるか、又は、グルーブであるかを確認する（Ｓ５１）。その後、ベリファイを実施し、同時に、１ＥＣＣ単位毎にＰＩエラー値とβ値とを取得し、これらの取得値をランドで又はグルーブで区分けして、例えば、マイコンのメモリに格納する（Ｓ５２）。なお、この時、上記のステップＳ５１では、ベリファイ動作を実行するトラックがランドであるか、又はグルーブであるかが分かるため、取得値をランドで又はグルーブで区分けして格納することが出来る。
【００３１】
その後、上記で取得されたβ値については、所謂、平均化処理が行われる（Ｓ５３）。なお、この平均化処理もランドで又はグルーブ毎に区分けして実行され、かつ、上記取得したβ値が得られる度に実行される。しかしながら、この平均化処理は、必ずしも必要ではなく、取得されたβ値をそのまま利用することも可能である。また、当該平均化処理としては、例えば、重み付け処理を採用し、かつ、最新データの重みを大きくすることにより、最新のデータがより大きく反映するようにすることも可能である。
【００３２】
続いて、上記で取得されたβ値が許容範囲内であるか否かの判定を行う（Ｓ５４）。具体的には、取得されたβ値を、目標値（Target β）±許容値と比較する。その結果、β値が目標値（Target β）±許容値よりも大きい（「Ｙｅｓ」：許容値の範囲を超えた）と判定された場合には、記録パワー（記録Power）を変更する（Ｓ５５）。具体的には、β値を目標値（Target β）側に向けて、１ステップだけ、徐々に変化させる。この時、同時に、当該変更したβ値により決定された記録パワー（記録Power）により、再度、書き込み動作を行ってＰＩエラー値とβ値を取得する。そして、上記で取得したＰＩエラー値を許容値と比較する（Ｓ５６）。
【００３３】
一方、β値が目標値（Target β）±許容値よりも小さい（「Ｎｏ」：許容値の範囲内）と判定された場合には、記録パワー（記録Power）の変更（Ｓ５５）を行わず、ＰＩエラー値の許容値との比較（Ｓ５６）を行う。そして、上記比較（Ｓ５６）の結果、ＰＩエラー値が許容値を超えていない（「Ｎｏ」）と判定された場合には、一連の処理を終了する。他方、ＰＩエラー値を許容値とＰＩエラー値が許容値を超えている（「Ｙｅｓ」）と判定された場合には、再び、上記ステップＳ５５へ戻り、記録パワー（記録Power）を変更すると共に、再度、ＰＩエラー値とβ値を取得し、取得したＰＩエラー値と許容値との比較（Ｓ５６）を行う。即ち、この動作を、ＰＩエラー値が許容値を超えていない（「Ｎｏ」）と判定されるまで繰り返す。なお、上記目標値（Target β）の設定をも含めたβ値の調整（変更）動作も、上記と同様に、ランドで又はグルーブ毎に区分けして実行されることとなる。また、特に、記録パワー補正は、ベリファイ処理により得られる各ＥＣＣ単位のＰＩエラーとβ値に基づき、各ＥＣＣ内のＰＩエラー値とβ値を平均値化すると共に、各ＥＣＣ間のＰＩエラー値とβ値は統計情報化することにより、記録パワーを基準β値に近づくように、段階的に補正する。
【００３４】
即ち、上記の説明からも明らかなように、本発明の一実施の形態になる光ディスク装置によれば、その書き込み処理（図３）の実行中において、特に、ＤＶＤ−ＲＡＭのように、ランドとグルーブ双方にデータを記録すると共に、記録の高速化と信頼性（高品質化）とを確保するため、所謂、ベリファイ処理が義務付けられ（規格化され）ている光情報記録媒体（光ディスク）の当該ベリファイ処理時を利用することにより、記録パワーの補正を実施するために必要なβ値、又はその統計情報と共に、ＰＩエラー（読み取りエラーレート）情報を、リアルタイムに取得することを可能とし、そして、取得されたβ値、又はその統計情報、更には、ＰＩエラー（読み取りエラーレート）情報に基づいて、リアルタイムに、かつ、１ＥＣＣ単位毎の、良好な記録パワーの補正を可能にすることにより、最適な記録品質を実現することが可能となる。
【図面の簡単な説明】
【００３５】
【図１】本発明の一実施の形態になる光ディスク装置の全体構成を示す斜視図である。
【図２】上記光ディスク装置に装着可能な光ディスクにおける交替領域の配置構造を示す図である。
【図３】上記光ディスクにおける交替領域を含むデータの配置構造を示す図である。
【図４】上記光ディスク装置における書き込み処理の概略を示すフローチャート図である。
【図５】上記図４に示した書き込み処理における統計情報の取得及び記録パワーの変更処理の詳細を示すフローチャート図である。
【符号の説明】
【００３６】
１００…光ディスク
３００…ディスクモータ
３１０…ディスクモータ駆動回路
２００…光ピックアップ
２４０…β検出手段
３２０…スライドモータ
３３０…スライドモータ駆動回路
５００…制御手段（マイコン）。
【図１】
2008041128.tif 000003
【図２】
2008041128.tif 000004
【図３】
2008041128.tif 000005
【図４】
2008041128.tif 000006
【図５】
2008041128.tif 000007